(57)【特許請求の範囲】
【請求項１】
同一の商品を販売する第１、第２ならびに第３の販売者のそれぞれにより作成された、当該第１、第２ならびに第３の販売者のそれぞれが当該同一の商品を販売するための第１、第２ならびに第３の販売ページを、ユーザからの要求に応じて提示する提示部であって、前記第１の販売ページに対する要求に応じて、前記第１の販売ページに前記第２の販売ページを広告する第１の広告を含めて提示し、前記第２の販売ページに対する要求に応じて、前記第２の販売ページに前記第３の販売ページを広告する第２の広告を含めて提示する提示部と、 
前記ユーザが前記第１の広告を経由して到着した前記第２の販売ページから前記同一の商品を購入すると、前記第１の販売者に与えられる報酬を決定し、前記ユーザが前記第２の広告を経由して到着した前記第３の販売ページから前記同一の商品を購入すると、前記第２の販売者に与えられる報酬を決定する決定部と、 
を備えることを特徴とする報酬決定装置。 
【請求項２】
請求項１に記載の報酬決定装置であって、
前記提示部は、前記ユーザが検索サイトに検索キーワードを指定することにより前記第１の販売ページに到着したのであれば、前記検索キーワードに基づいて、前記ショッピングサイトにおいて扱われている販売ページから、第１の販売ページにさらに広告を含める他の販売ページを決定する
ことを特徴とする報酬決定装置。
【請求項３】
請求項２に記載の報酬決定装置であって、
前記提示部は、前記ユーザが前記検索サイトに前記検索キーワードを指定することにより前記第１の販売ページに到達したのでなければ、前記同一の商品を既に購入している他のユーザの行動に基づいて、前記ショッピングサイトにおいて扱われている販売ページから、第１の販売ページにさらに広告を含める他の販売ページを決定する
ことを特徴とする報酬決定装置。
【請求項４】
請求項１に記載の報酬決定装置であって、
前記決定部は、前記第１の販売ページを経由して前記第１の販売者から購入された前記同一の商品の数と、前記広告を経由して前記第２の販売者から購入された前記同一の商品の数と、に基づいて、前記報酬を決定する
ことを特徴とする報酬決定装置。
【請求項５】
請求項１に記載の報酬決定装置であって、
前記決定部は、前記第１の販売ページに表された前記同一の商品の販売状況に基づいて、前記報酬を決定する
ことを特徴とする報酬決定装置。
【請求項６】
請求項５に記載の報酬決定装置であって、
前記決定部は、前記第１の販売ページが提示された時点で前記同一の商品が購入可能でない場合、前記同一の商品が購入可能でない期間もしくは前記同一の商品が購入可能となるまでの期間に基づいて、前記報酬を減額する
ことを特徴とする報酬決定装置。
【請求項７】
請求項５に記載の報酬決定装置であって、
前記決定部は、前記ユーザが、前記同一の商品が購入可能でない前記第１の販売ページを閲覧した回数に基づいて、前記報酬を減額する
ことを特徴とする報酬決定装置。
【請求項８】
同一の商品を販売する第１、第２ならびに第３の販売者のそれぞれにより作成された、当該第１、第２ならびに第３の販売者のそれぞれが当該同一の商品を販売するための第１、第２ならびに第３の販売ページを、ユーザからの要求に応じて提示する報酬決定装置が、前記第１の販売ページに対する要求に応じて、前記第１の販売ページに前記第２の販売ページを広告する第１の広告を含めて提示し、前記第２の販売ページに対する要求に応じて、前記第２の販売ページに前記第３の販売ページを広告する第２の広告を含めて提示する提示工程と、
前記ユーザが前記第１の広告を経由して到着した前記第２の販売ページから前記同一の商品を購入すると、前記報酬決定装置が、前記第１の販売者に与えられる報酬を決定し、前記ユーザが前記第２の広告を経由して到着した前記第３の販売ページから前記同一の商品を購入すると、前記第２の販売者に与えられる報酬を決定する決定工程と、
を備えることを特徴とする報酬決定方法。
【請求項９】
コンピュータを、
同一の商品を販売する第１、第２ならびに第３の販売者のそれぞれにより作成された、当該第１、第２ならびに第３の販売者のそれぞれが当該同一の商品を販売するための第１、第２ならびに第３の販売ページを、ユーザからの要求に応じて提示する提示部であって、前記第１の販売ページに対する要求に応じて、前記第１の販売ページに前記第２の販売ページを広告する第１の広告を含めて提示し、前記第２の販売ページに対する要求に応じて、前記第２の販売ページに前記第３の販売ページを広告する第２の広告を含めて提示する提示部、
前記ユーザが前記第１の広告を経由して到着した前記第２の販売ページから前記同一の商品を購入すると、前記第１の販売者に与えられる報酬を決定し、前記ユーザが前記第２の広告を経由して到着した前記第３の販売ページから前記同一の商品を購入すると、前記第２の販売者に与えられる報酬を決定する決定部、
として機能させることを特徴とするプログラム。
【請求項１０】
同一の商品を販売する複数の販売者のそれぞれにより作成された、当該複数の販売者のそれぞれが当該同一の商品を販売するための販売ページを、ユーザからの要求に応じて提示する提示部であって、前記ユーザからの要求に応じて提示される販売ページに、前記同一の商品を販売する複数の販売者のうち当該提示される販売ページを作成した販売者以外の販売者により作成された販売ページの広告を含めて提示する提示部と、
前記ユーザが前記広告を経由して到着した販売ページから前記同一の商品を購入すると、前記広告が含められた販売ページを作成した販売者に与えられる報酬を決定する決定部と、
を備えることを特徴とする報酬決定装置。
【発明の詳細な説明】
【技術分野】
【０００１】
本発明は、報酬決定装置、報酬決定方法、プログラム、及び、記録媒体に関し、特に、電子商取引における販売者への報酬の決定に関するものである。
【背景技術】
【０００２】
近年、ネットワーク上において、電子商取引が可能な様々なショッピングサイトが存在する。ショッピングサイトには、複数の販売者が販売する商品の情報が登録されており、商品の購入を希望するユーザは、検索サイトやショッピングサイトにおいて、所望の商品に関するキーワードを指定して、商品を検索する。例えば、特許文献１には、入力ワードや検索支援ワードに基づいて商品を検索するショッピングサイトが開示されている。検索の結果、ユーザは、ショッピングサイト内の、ある販売者が販売する商品の販売ページに到着し、その商品が、ユーザの所望する商品であれば、購入手続を進める。一方、販売ページに記載された商品がユーザの所望する商品ではなかった場合や在庫切れだった場合、販売ページを提供するショッピングサイトから離れてしまうのが一般的である。このような事態を防ぐため、ショッピングサイトの運営者としては、できるだけユーザの希望に沿うような商品を、ユーザが到着した販売ページ以外の他の販売者の商品を含め、多数提示したいという要望がある。
【先行技術文献】
【特許文献】
【０００３】
【特許文献１】特開２０１１−１３３９２６号公報
【発明の概要】
【発明が解決しようとする課題】
【０００４】
しかしながら、検索の結果、ユーザが到着した販売ページを作成した販売者にとって、せっかく自身の販売ページに到着したユーザを、他の販売者が販売する商品の販売ページに誘導することは抵抗があり、販売者の賛同が得られないという問題があった。【０００５】
本発明は、上記のような課題を解決するもので、商品の検索をしたユーザに、様々な販売者が扱う商品を提示できるよう販売者への報酬を決定するのに好適な報酬決定装置、報酬決定方法、プログラム、及び、記録媒体を提供することを目的とする。
【課題を解決するための手段】
【０００６】
本発明の第１の観点に係る報酬決定装置は、
複数の販売者が商品を販売するショッピングサイトにおいて、第１の販売者が販売する第１の商品を、ユーザが購入可能とするために、当該第１の商品を表す販売ページであって、第２の販売者が販売する第２の商品の広告を含む販売ページを提示する提示部と、
前記ユーザが前記広告を経由して前記第２の販売者から前記第２の商品を購入した場合、前記第１の販売者に与えられる報酬を決定する報酬決定部と、
を備えることを特徴とする。【０００７】
また、上記観点に係る報酬決定装置において、
前記提示部は、前記ユーザが検索サイトに検索キーワードを指定することにより前記販売ページに到着したのであれば、前記検索キーワードに基づいて、前記ショッピングサイトにおいて扱われている商品から、前記第２の商品を決定する
ことを特徴とする。【０００８】
また、上記観点に係る報酬決定装置において、
前記提示部は、前記ユーザが前記検索サイトに前記検索キーワードを指定することにより前記販売ページに到達したのでなければ、前記第１の商品を既に購入している他のユーザの行動に基づいて、前記第２の商品を決定する
ことを特徴とする。【０００９】
また、上記観点に係る報酬決定装置において、
前記報酬決定部は、前記販売ページを経由して前記第１の販売者から購入された前記第１の商品の数と、前記広告を経由して前記第２の販売者から購入された前記第２の商品の数と、に基づいて、前記報酬を決定する
ことを特徴とする。【００１０】
また、上記観点に係る報酬決定装置において、
前記報酬決定部は、前記販売ページに表された前記第１の商品の販売状況に基づいて、前記報酬を決定する
ことを特徴とする。【００１１】
また、上記観点に係る報酬決定装置において、
前記報酬決定部は、前記販売ページが提示された時点で前記第１の商品が購入可能でない場合、前記第１の商品が購入可能でない期間もしくは前記第１の商品が購入可能となるまでの期間に基づいて、前記報酬を減額する
ことを特徴とする。【００１２】
また、上記観点に係る報酬決定装置において、
前記報酬決定部は、前記ユーザが、前記第１の商品が購入可能でない販売ページを閲覧した回数に基づいて、前記報酬を減額する
ことを特徴とする。【００１３】
本発明の第２の観点に係る報酬決定方法は、
複数の販売者が商品を販売するショッピングサイトにおいて、第１の販売者が販売する第１の商品を、ユーザが購入可能とするために、当該第１の商品を表す販売ページであって、第２の販売者が販売する第２の商品の広告を含む販売ページを提示する提示工程と、
前記ユーザが前記広告を経由して前記第２の販売者から前記第２の商品を購入した場合、前記第１の販売者に与えられる報酬を決定する報酬決定工程と、
を備えることを特徴とする。【００１４】
本発明の第３の観点に係るプログラムは、
コンピュータを、
複数の販売者が商品を販売するショッピングサイトにおいて、第１の販売者が販売する第１の商品を、ユーザが購入可能とするために、当該第１の商品を表す販売ページであって、第２の販売者が販売する第２の商品の広告を含む販売ページを提示する提示部、
前記ユーザが前記広告を経由して前記第２の販売者から前記第２の商品を購入した場合、前記第１の販売者に与えられる報酬を決定する報酬決定部、
として機能させることを特徴とする。【００１５】
本発明の第４の観点に係るコンピュータ読み取り可能な記録媒体は、
複数の販売者が商品を販売するショッピングサイトにおいて、第１の販売者が販売する第１の商品を、ユーザが購入可能とするために、当該第１の商品を表す販売ページであって、第２の販売者が販売する第２の商品の広告を含む販売ページを提示する提示部、
前記ユーザが前記広告を経由して前記第２の販売者から前記第２の商品を購入した場合、前記第１の販売者に与えられる報酬を決定する報酬決定部、
として機能させることを特徴とするプログラムを記録する。【００１６】
上記記録媒体は、非一時的な（non-transitory）記録媒体であってよく、コンピュータとは独立して配布・販売することができる。ここで、非一時的な記録媒体とは、有形な（tangible）記録媒体をいう。非一時的な記録媒体は、例えば、コンパクトディスク、フレキシブルディスク、ハードディスク、光磁気ディスク、ディジタルビデオディスク、磁気テープ、半導体メモリ等である。また、一時的な（transitory）記録媒体とは、伝送媒体（伝搬信号）それ自体を示す。一時的な記録媒体は、例えば、電気信号、光信号、電磁波等である。なお、一時的な（temporary）記憶領域とは、データやプログラムを一時的に記憶するための領域であり、例えば、ＲＡＭ（Random Access Memory）等の揮発性メモリである。
【発明の効果】
【００１７】
本発明によれば、商品の検索をしたユーザに、様々な販売者が扱う商品を提示できるよう販売者への報酬を決定するのに好適な報酬決定装置、報酬決定方法、プログラム、及び、記録媒体を提供することができる。
【図面の簡単な説明】
【００１８】
【図１】本発明の実施形態に係る報酬決定装置と、ショッピングサーバと、販売者端末と、ユーザ端末との関係を示す図である。
【図２】報酬決定装置と、ショッピングサーバと、販売者端末と、ユーザ端末と、の間で行われる通信の例を示す図である。
【図３】本発明の実施形態に係る提供装置が実現される典型的な情報処理装置の概要構成を示す図である。
【図４】実施形態１に係る報酬決定装置の概要構成を示す図である。
【図５】販売ページを説明するための図である。
【図６】登録商品テーブルを説明するための図である。
【図７】実施形態１に係る報酬決定装置が行う報酬決定処理を説明するためのフローチャートである。
【図８】購入ユーザテーブルを説明するための図である。
【図９】閲覧ページテーブルを説明するための図である。
【図１０】実施形態２に係る報酬決定装置が行う報酬決定処理を説明するためのフローチャートである。
【図１１】販売実績テーブルを説明するための図である。
【図１２】販売ページを説明するための図である。
【図１３】販売状況テーブルを説明するための図である。
【発明を実施するための形態】
【００１９】
以下に本発明の実施形態を説明する。以下の実施形態は説明のためのものであり、本願発明の範囲を制限するものではない。したがって、当業者であればこれらの各要素もしくは全要素をこれと均等なものに置換した実施形態を採用することが可能であるが、これらの実施形態も本発明の範囲に含まれる。
【００２０】
（１．全体構成）
本発明の実施形態に係る報酬決定装置１００は、図１に示すように、インターネット５００に接続される。インターネット５００には、ショッピングサーバ２００と、販売者端末３０１、３０２〜３０ｍ（以下、これらを総称して「販売者端末３００」という）と、ユーザ端末４０１、４０２〜４０ｎ（以下、これらを総称して「ユーザ端末４００」という）と、が接続されている。
【００２１】
販売者端末３００は、ショッピングサイトにおいて商品を販売する販売者が使用する端末である。
【００２２】
ユーザ端末４００は、販売者が販売する商品の閲覧・購入を行うユーザが使用する端末である。
【００２３】
ショッピングサーバ２００は、販売者端末３００から送信された商品の情報を登録し、ユーザ端末４００からの要求に応じて、登録されている商品の情報を提示する。また、ショッピングサーバ２００は、ユーザ端末４００から商品の注文を受け付け、報酬決定装置１００及び販売者端末３００に注文についての情報を送信する。
【００２４】
報酬決定装置１００、ショッピングサーバ２００、販売者端末３００、及びユーザ端末４００の間で行われる通信の例について、図２を用いて説明する。
【００２５】
ユーザ端末４００は、検索サイトを経由して、あるいは、ショッピングサイト内から、商品を検索し、検索結果に基づいて所望の販売ページの閲覧要求をショッピングサーバ２００に送信する（１）。ここで、販売ページとは、販売者が販売する商品の情報や、販売状況等が記載されたＷＥＢページである。
【００２６】
ショッピングサーバ２００は、販売ページの閲覧要求があった旨を報酬決定装置１００に送信する（２）。
【００２７】
報酬決定装置１００は、ショッピングサーバ２００から閲覧要求があった旨を通知すると、ユーザ端末４００が要求した販売ページの情報をショッピングサーバ２００へ送信する（３）。
【００２８】
ショッピングサーバ２００は、報酬決定装置１００から販売ページの情報を受け付けると、ユーザ端末４００に当該販売ページの情報を送信する（４）。
【００２９】
ユーザ端末４００は、販売ページに記載された商品の注文・購入手続に必要な情報をショッピングサーバ２００に送信する（５）。
【００３０】
ショッピングサーバ２００は、ユーザ端末４００から注文・購入手続に必要な情報を受け付けると、当該注文の内容を報酬決定装置１００に送信する（６）。
【００３１】
また、ショッピングサーバ２００は、注文に対する確認の通知をユーザ端末４００に送信する（７）。
【００３２】
また、ショッピングサーバ２００は、販売者端末３００に、注文の内容を送信する（８）。
【００３３】
販売者端末３００は、注文の内容を受け付けると、注文された商品の配送方法や送料などを含む受注の内容を、ユーザ端末４００に送信する（９）。
【００３４】
報酬決定装置１００は、注文の内容に基づいて、購入される商品の販売者に与えられる報酬を決定し、当該報酬の内容を該当する販売者の販売者端末３００に送信する（１０）。
【００３５】
なお、上記の通信の例、或いは、以下に示す実施形態では、報酬決定装置１００とショッピングサーバ２００とは、図１に示すようにインターネット５００を介して接続されるが、この例に限らない。例えば、報酬決定装置１００とショッピングサーバ２００とが同じ装置により実現されてもよい。あるいは、報酬決定装置１００とショッピングサーバ２００とが直接接続されてもよい。
【００３６】
（２．情報処理装置の概要構成）
本発明の実施形態に係る報酬決定装置１００が実現される典型的な情報処理装置６００について説明する。
【００３７】
情報処理装置６００は、図３に示すように、ＣＰＵ（Central Processing Unit）６０１と、ＲＯＭ（Read only Memory）６０２と、ＲＡＭ（Random Access Memory）６０３と、ＮＩＣ（Network Interface Card）６０４と、画像処理部６０５と、音声処理部６０６と、ＤＶＤ−ＲＯＭ（Digital Versatile Disc ROM）ドライブ６０７と、インターフェース６０８と、外部メモリ６０９と、コントローラ６１０と、モニタ６１１と、スピーカ６１２と、を備える。
【００３８】
ＣＰＵ  ６０１は、情報処理装置６００全体の動作を制御し、各構成要素と接続され制御信号やデータをやりとりする。
【００３９】
ＲＯＭ  ６０２には、電源投入直後に実行されるＩＰＬ（Initial Program Loader）が記録され、これが実行されることにより、所定のプログラムをＲＡＭ  ６０３に読み出してＣＰＵ  ６０１による当該プログラムの実行が開始される。また、ＲＯＭ  ６０２には、情報処理装置６００全体の動作制御に必要なオペレーティングシステムのプログラムや各種のデータが記録される。
【００４０】
ＲＡＭ  ６０３は、データやプログラムを一時的に記憶するためのもので、ＤＶＤ−ＲＯＭから読み出したプログラムやデータ、その他、通信に必要なデータ等が保持される。
【００４１】
ＮＩＣ  ６０４は、情報処理装置６００をインターネット等のコンピュータ通信網に接続するためのものであり、ＬＡＮ（Local Area Network）を構成する際に用いられる１０ＢＡＳＥ−Ｔ／１００ＢＡＳＥ−Ｔ規格にしたがうものや、電話回線を用いてインターネットに接続するためのアナログモデム、ＩＳＤＮ（Integrated Services Digital Network）モデム、ＡＤＳＬ（Asymmetric Digital Subscriber Line）モデム、ケーブルテレビジョン回線を用いてインターネットに接続するためのケーブルモデム等と、これらとＣＰＵ  ６０１との仲立ちを行うインターフェース（図示せず）等により構成される。
【００４２】
画像処理部６０５は、ＤＶＤ−ＲＯＭ等から読み出されたデータをＣＰＵ  ６０１や画像処理部６０５が備える画像演算プロセッサ（図示せず）によって加工処理した後、これを画像処理部６０５が備えるフレームメモリ（図示せず）に記録する。フレームメモリに記録された画像情報は、所定の同期タイミングでビデオ信号に変換され、モニタ６１１に出力される。これにより、各種のページ表示が可能となる。
【００４３】
音声処理部６０６は、ＤＶＤ−ＲＯＭ等から読み出した音声データをアナログ音声信号に変換し、これに接続されたスピーカ６１２から出力させる。また、ＣＰＵ  ６０１の制御の下、情報処理装置６００が行う処理の進行の中で発生させるべき音を生成し、これに対応した音声をスピーカ６１２から出力させる。
【００４４】
ＤＶＤ−ＲＯＭドライブ６０７に装着されるＤＶＤ−ＲＯＭには、例えば、実施形態に係る報酬決定装置１００を実現するためのプログラムが記憶される。ＣＰＵ  ６０１の制御によって、ＤＶＤ−ＲＯＭドライブ６０７は、これに装着されたＤＶＤ−ＲＯＭに対する読み出し処理を行って、必要なプログラムやデータを読み出し、これらはＲＡＭ  ６０３等に一時的に記憶される。
【００４５】
インターフェース６０８には、外部メモリ６０９、コントローラ６１０、モニタ６１１、及びスピーカ６１２が、着脱可能に接続される。
【００４６】
外部メモリ６０９には、ユーザの個人情報に関するデータなどが書き換え可能に記憶される。
【００４７】
コントローラ６１０は、情報処理装置６００の各種の設定時などに行われる操作入力を受け付ける。情報処理装置６００のユーザは、コントローラ６１０を介して指示入力を行うことにより、これらのデータを適宜外部メモリ６０９に記録することができる。
【００４８】
モニタ６１１は、画像処理部６０５により出力されたデータを情報処理装置６００のユーザに提示する。
【００４９】
スピーカ６１２は、音声処理部６０６により出力された音声データを情報処理装置６００のユーザに提示する。
【００５０】
この他、情報処理装置６００は、ハードディスク等の大容量外部記憶装置を用いて、ＲＯＭ  ６０２、ＲＡＭ  ６０３、外部メモリ６０９、ＤＶＤ−ＲＯＭドライブ６０７に装着されるＤＶＤ−ＲＯＭ等と同じ機能を果たすように構成してもよい。
【００５１】
以下、上記情報処理装置６００において実現される報酬決定装置１００について、図１乃至図１３を参照して説明する。情報処理装置６００に電源が投入され、ショッピングサーバ２００からの要求を受け付けると、実施形態に係る報酬決定装置１００として機能させるプログラムが実行され、実施形態に係る報酬決定装置１００が実現される。
【００５２】
（３．実施形態１の報酬決定装置の概要構成）
報酬決定装置１００は、図４に示すように、提示部１０１と、報酬決定部１０２と、から構成される。
【００５３】
提示部１０１は、複数の販売者が商品を販売するショッピングサイトにおいて、第１の販売者が販売する第１の商品を、ユーザが購入可能とするために、当該第１の商品を表す販売ページであって、第２の販売者が販売する第２の商品の広告を含む販売ページを提示する。
【００５４】
販売ページの例を、図５に示す。この例では、第１の商品を商品Ａとする。また、第２の商品は複数あるものとする。
【００５５】
販売ページ７００には、第１の商品の情報７１０と、第２の商品の広告７２０と、が含まれる。
【００５６】
情報７１０には、商品Ａの画像７１１、販売価格、在庫数などの情報が含まれる。また、ユーザは、情報７１０に含まれるボタン７１２をクリックする事により、商品Ａの購入手続に進むことができる。
【００５７】
広告７２０には、第２の販売者が扱う商品の画像７２１〜７２３や販売価格等が含まれる。ユーザが、広告７２０に記載された商品について興味がある場合、例えば、像７２１〜７２３をクリックすると、当該画像の商品の販売ページに遷移することができる。
【００５８】
ここで、第２の商品として、例えば、第１の商品と同じ商品であって、第２の販売者が販売する商品が決定される。または、第２の商品として、第１の商品と同じジャンルの商品が決定される。あるいは、ショッピングサイトで扱う商品の売れ筋ランキングや人気商品等の情報に基づいて、第２の商品が決定されてもよい。
【００５９】
例えば、ショッピングサーバ２００には、図６に示す登録商品テーブル２００ａが格納されているとする。登録商品テーブル２００ａは、ショッピングサイト内で扱われている商品の情報や当該商品の販売者の情報を示すものである。
【００６０】
登録商品テーブル２００ａには、商品ＩＤ  ２００ａ１と、商品名２００ａ２と、商品のジャンル２００ａ３と、当該商品の販売者の販売者ＩＤ  ２００ａ４と、当該商品の販売ページＵＲＬ  ２００ａ５と、が対応づけて登録されている。
【００６１】
例えば、図６の登録商品テーブル２００ａの１行目は、商品ＩＤ“Ａ”の商品“タラバガニ”は、ジャンルが“食品／魚介類”であり、当該商品“タラバガニ”の販売者は、販売者ＩＤ“ｘ”で特定される販売者であり、当該販売者が販売する“タラバガニ”の販売ページは、“http://www.aaa.jp/x/A”であることを示す。
【００６２】
ここで、図５の“商品Ａ”を“タラバガニ”、“商品Ｂ”を“ズワイガニ”であるとする。提示部１０１は、登録商品テーブル２００ａを参照して、例えば、第１の商品である“タラバガニ”と同じ商品や、第１の商品と同じジャンルの商品である“ズワイガニ”を、広告７２０に含める商品として決定する。
【００６３】
例えば、提示部１０１は、登録商品テーブル２００ａを参照して、販売者ＩＤ“ｙ”の販売者の商品“タラバガニ”と、販売者ＩＤ“ｚ”の販売者の商品“タラバガニ”と、販売者ＩＤ“ｗ”の商品“ズワイガニ”とを選択し、それぞれの商品の画像７２１〜７２３が載せられた広告７２０を含む販売ページ７００（図５）を提示する。
【００６４】
本実施形態では、ＣＰＵ  ６０１及び画像処理部６０５が協働して、提示部１０１として機能する。なお、後述する実施形態２〜４においても同様である。
【００６５】
報酬決定部１０２は、ユーザが広告を経由して第２の販売者から第２の商品を購入した場合、第１の販売者に与えられる報酬を決定する。
【００６６】
例えば、ユーザが、販売ページ７００に到着した後、広告７２０に記載された商品の販売ページに遷移し、遷移先の販売ページの商品を購入したとする。この場合、販売ページ７００を作成した第１の販売者に報酬が与えられる。
【００６７】
報酬は、例えば、第２の商品の価格の数パーセントと定める。報酬決定部１０２は、広告を経由して第２の販売者の第２の商品が購入されるたびに、第２の商品の価格に基づいて第１の販売者に与える報酬を決定する。
【００６８】
本実施形態では、ＣＰＵ  ６０１が、報酬決定部１０２として機能する。なお、後述する実施形態２〜４においても同様である。
【００６９】
本実施形態によれば、販売ページを作成した販売者の商品が購入されなかった場合でも、広告を経由して他の販売者の商品が購入された場合は当該販売者にも一定の報酬が与えられるようにすることで、ユーザが到着した販売ページに他の販売者の商品の広告を載せることに対する抵抗を軽減することができる。そして、ユーザには、様々な販売者が扱う商品を提示するようにすることができるので、ユーザがショッピングサイトから離脱する確率を減らすことができる。
【００７０】
なお、販売ページに第２の販売者の商品の広告を含めるか否かを、第１の販売者が自由に設定できるようにしてもよい。これにより、様々な販売者の事情を考慮しつつ、ユーザがショッピングサイトから離脱する確率を減らすことができる。
【００７１】
（４．実施形態１の報酬決定装置の動作）
次に、本実施形態の報酬決定装置１００の動作について説明する。報酬決定装置１００は、例えば、ショッピングサーバ２００から販売ページの閲覧要求があった旨の通知を受けると、図７に示す報酬決定処理を開始する。
【００７２】
提示部１０１は、第２の販売者が販売する第２の商品を決定する（ステップＳ１０１）。
【００７３】
例えば、図５の販売ページを、販売者ＩＤ“ｘ”の販売者が作成したものとすると、提示部１０１は、図６に示す登録商品テーブル２００ａを参照して、第１の販売者（販売者ＩＤ“ｘ”の販売者）が販売する第１の商品“タラバガニ”と同じ商品であって、第２の販売者（例えば、販売者ＩＤ“ｙ”、“ｚ”の販売者）が販売する商品を、第２の商品として決定する。あるいは、第１の販売者（販売者ＩＤ“ｘ”の販売者）が販売する第１の商品“タラバガニ”と同じジャンルの商品であって、第２の販売者（例えば、販売者ＩＤ“ｗ”の販売者）が販売する商品を、第２の商品として決定する。
【００７４】
提示部１０１は、第１の販売者が販売する第１の商品を表す販売ページであって、第２の販売者が販売する第２の商品の広告を含む販売ページを提示する（ステップＳ１０２）。
【００７５】
例えば、提示部１０１は、図５に示すように、販売者ＩＤ“ｘ”の販売者の商品を購入するための情報７１０と、販売者ＩＤ“ｙ”、“ｚ”、“ｗ”の販売者の商品についての情報が載せられた広告７２０と、が含まれる販売ページ７００を提示する。
【００７６】
報酬決定部１０２は、ユーザが広告を経由したか否かを判断する（ステップＳ１０３）。報酬決定部１０２は、ユーザが広告を経由したと判断すると（ステップＳ１０３；Ｙｅｓ）、当該ユーザが第２の販売者から第２の商品を購入したか否かを判断する（ステップＳ１０４）。一方、報酬決定部１０２は、ユーザが広告を経由していないと判断すると（ステップＳ１０３；Ｎｏ）、そのまま待機する。
【００７７】
例えば、ユーザが広告７２０に記載されたいずれかの商品の画像７２１〜７２３をクリックし、当該商品の販売ページに遷移すると、報酬決定部１０２は、ユーザが広告を経由したと判断する。一方、ユーザが広告７２０を経由せずに、第１の販売者の販売ページにとどまっている場合、そのまま販売ページを提示し、ユーザが広告を経由するか否か監視する。
【００７８】
ステップＳ１０４において、報酬決定部１０２は、ユーザが第２の販売者から第２の商品を購入したと判断すると（ステップＳ１０４；Ｙｅｓ）、第１の販売者に与えられる報酬を決定する（ステップＳ１０５）。一方、報酬決定部１０２は、ユーザが第２の販売者から第２の商品を購入していないと判断すると（ステップＳ１０４；Ｎｏ）、ステップＳ１０１に戻る。
【００７９】
例えば、ユーザが、画像７２１が示す商品の販売ページに遷移し、当該商品を購入すると、報酬決定部１０２は、ユーザが第２の販売者から第２の商品を購入したと判断して、遷移前の販売ページの第１の販売者に与えられる報酬を決定する。一方、ユーザが、画像７２１が示す商品の販売ページに遷移したが、当該商品の購入に至らなかった場合、ステップＳ１０１に戻り、引き続き第２の販売者の販売ページを表示する。この場合、第２の販売者を第１の販売者とし、第２の商品を第１の商品として、ステップＳ１０１以降の処理が繰り返される。
【００８０】
なお、第２の販売者の販売ページに遷移した時に、第２の販売者の販売ページの商品を第１の商品とみなして、ステップＳ１０１、ステップＳ１０２の処理を行うようにしてもよい。
【００８１】
（５．実施形態２の報酬決定装置の概要構成）
実施形態２の報酬決定装置１００は、ユーザが販売ページに到着した経緯により、第２の商品の決定手法を変えるものである。
【００８２】
報酬決定装置１００は、図４に示すように、提示部１０１と、報酬決定部１０２と、から構成される。本実施形態において、報酬決定部１０２は、実施形態１と同様の機能を有する。以下、異なる機能を有する提示部１０１について説明する。
【００８３】
提示部１０１は、ユーザが検索サイトに検索キーワードを指定することにより販売ページに到着したのであれば、検索キーワードに基づいて、ショッピングサイトにおいて扱われている商品から、第２の商品を決定する。
【００８４】
ここで、検索サイトとは、例えば、インターネットに存在する情報を検索する機能を提供するサイトであって、ショッピングサイト以外のサイトを示すものとする。
【００８５】
例えば、ユーザが、検索サイトに商品Ａの商品名“タラバガニ”を検索キーワードに指定して、図５の販売ページ７００に到着したとする。この場合、提示部１０１は、リファラを参照して、検索キーワードを取得する。そして、提示部１０１は、当該検索キーワードを用いてショッピングサイト内を検索し、ショッピングサイト内で扱われている商品から、第２の商品（広告７２０に含まれる商品）を決定する。第２の商品は、ショッピングサイト内で扱われている商品のうち、検索キーワードと同じ名称の商品や、検索キーワードが示す商品と同じジャンルの商品、あるいは、検索キーワードが示す商品と同じ名称の商品であって、所定のランキングに基づいて、決定される。
【００８６】
一方、提示部１０１は、ユーザが検索サイトに検索キーワードを指定することにより販売ページに到達したのでなければ、第１の商品を既に購入している他のユーザの行動に基づいて、第２の商品を決定する。
【００８７】
例えば、ショッピングサイトのツールバーなどに配置される検索欄７３０に検索キーワード“タラバガニ”を指定して、図５の販売ページ７００に到着した場合や、他の販売者の販売ページから遷移することにより、図５の販売ページ７００に到着した場合、“タラバガニ”を購入した他のユーザの行動に基づいて、第２の商品が決定される。
【００８８】
ここで、他のユーザの行動とは、例えば、他のユーザが第１の商品以外にどのような商品を購入したか、あるいは、第１の商品を購入した他のユーザが、他にどの商品の販売ページを見たか等である。
【００８９】
例えば、提示部１０１は、第１の商品を購入した他のユーザが第１の商品以外に購入した商品や、当該他のユーザが閲覧した販売ページの商品を、第２の商品として決定する。あるいは、提示部１０１は、当該他のユーザの購入結果に基づいて求められた、第１の商品が含まれるジャンルにおける売れ筋ランキングの上位の商品を、第２の商品として決定する。
【００９０】
例えば、ショッピングサーバ２００には、図８に示す購入ユーザテーブル２００ｂが格納されているとする。購入ユーザテーブル２００ｂは、ショッピングサイトにおいて商品を購入したユーザの情報や当該商品の情報を示すものである。
【００９１】
購入ユーザテーブル２００ｂには、ユーザＩＤ  ２００ｂ１と、購入商品ＩＤ  ２００ｂ２と、販売者ＩＤ  ２００ｂ３と、が対応付けて登録されている。
【００９２】
例えば、図８の購入ユーザテーブル２００ｂの１行目は、ユーザＩＤ“１１１”で特定されるユーザが商品ＩＤ“Ａ”で特定される商品を、販売者ＩＤ“ｘ”で特定される販売者から購入したことを示す。
【００９３】
提示部１０１は、例えば、購入ユーザテーブル２００ｂを参照して、第１の商品（商品ＩＤ“Ａ”）を購入したユーザが、当該第１の商品以外にどのような商品を購入したかを集計し、集計の結果から、第２の商品を決定する。
【００９４】
また、例えば、ショッピングサーバ２００には、図９に示す閲覧ページテーブル２００ｃが格納されているとする。閲覧ページテーブル２００ｃには、ショッピングサイトにおいて商品を購入したユーザが閲覧した販売ページの情報が登録されている。
【００９５】
閲覧ページテーブル２００ｃには、ユーザＩＤ  ２００ｃ１と、ユーザが閲覧した販売ページＵＲＬ  ２００ｃ２と、が対応付けて登録されている。
【００９６】
例えば、図９の閲覧ページテーブル２００ｃの１行目は、ユーザＩＤ“１１１”で特定されるユーザが販売ページ“http://www.aaa.jp/x/A”を閲覧したことを示す。
【００９７】
提示部１０１は、例えば、購入ユーザテーブル２００ｂ及び閲覧ページテーブル２００ｃを参照して、第１の商品を購入したユーザが、どの販売ページを見ているかを集計し、集計の結果から、第２の商品を決定する。
【００９８】
本実施形態によれば、ユーザが販売ページに到着するに際し経由したサイトによって、ユーザに提示する広告に含まれる商品を変えることができる。例えば、ユーザが検索サイトからショッピングサイト内の販売ページに到着した場合、ショッピングサイト内で扱われる商品であって、ユーザが指定した検索キーワードに関連する商品を、ユーザに様々提示することにより、ユーザがショッピングサイトから離脱することを防ぐようにすることができる。また、ショッピングサイト内で検索して販売ページに到着した場合は、ユーザは、当該販売ページで買い物をする意思があると考えられるので、当該販売ページの商品に関連する商品を提示することにより、ショッピングサイト内での買い物を継続するよう促すことができる。
【００９９】
（６．実施形態２の報酬決定装置の動作）
次に、本実施形態の報酬決定装置１００の動作について説明する。報酬決定装置１００は、例えば、ショッピングサーバ２００から販売ページの閲覧要求があった旨の通知を受けると、図１０に示す報酬決定処理を開始する。なお、図１０のフローチャートのステップＳ２０４〜ステップＳ２０７の処理は、図７のフローチャートのステップＳ１０２〜ステップＳ１０５の処理と同様である。したがって、これらの処理については省略する。
【０１００】
報酬決定装置１００が販売ページの閲覧要求があった旨の通知を受け付けると、提示部１０１は、ユーザが当該販売ページに到着するにあたり、ユーザが検索サイトに検索キーワードを指定することにより当該販売ページに到着したか否かを判断する（ステップＳ２０１）。提示部１０１が、検索サイトに検索キーワードを指定することにより販売ページに到着したと判断すると（ステップＳ２０１；Ｙｅｓ）、提示部１０１は、当該検索キーワードに基づいてショッピングサイトから第２の商品を決定する（ステップＳ２０２）。一方、提示部１０１が、ユーザが検索サイトに検索キーワードを指定することにより販売ページに到達したのでないと判断すると（ステップＳ２０１；Ｎｏ）、提示部１０１は、第１の商品を既に購入している他のユーザの行動に基づいて、第２の商品を決定する（ステップＳ２０３）。
【０１０１】
例えば、ユーザが検索サイトに商品Ａの商品名“タラバガニ”を検索キーワードに指定して、図５の販売ページ７００に到着したとすると、提示部１０１は、ユーザが検索サイトに検索キーワードを指定することにより当該販売ページに到着したと判断し、ショッピングサイト内で扱われている“タラバガニ”の商品を第２の商品として決定する。一方、ユーザがショッピングサイトのツールバーなどに配置される検索欄７３０に検索キーワード“タラバガニ”を指定して、図５の販売ページ７００に到着したとすると、提示部１０１は、ユーザが検索サイトに検索キーワードを指定することにより販売ページに到達したのでないと判断し、“タラバガニ”を購入した他のユーザの行動に基づいて、第２の商品を決定する。
【０１０２】
そして、第２の商品が決定されると、ステップＳ２０４以降の処理が行われる。
【０１０３】
（７．実施形態３の報酬決定装置の概要構成）
実施形態３の報酬決定装置１００は、第１の販売者と第２の販売者の販売実績に基づいて第１の販売者に与えられる報酬を決定するものである。
【０１０４】
報酬決定装置１００は、図４に示すように、提示部１０１と、報酬決定部１０２と、から構成される。本実施形態において、提示部１０１は、実施形態１と同様の機能を有する。以下、異なる機能を有する報酬決定部１０２について説明する。
【０１０５】
報酬決定部１０２は、販売ページを経由して第１の販売者から購入された第１の商品の数と、広告を経由して第２の販売者から購入された第２の商品の数と、に基づいて、報酬を決定する。
【０１０６】
例えば、ショッピングサーバ２００には、図１１に示す販売実績テーブル２００ｄが格納されている。販売実績テーブル２００ｄは、第１の販売者及び第２の販売者の販売実績に関する情報を示すものである。
【０１０７】
販売実績テーブル２００ｄには、第１の販売者を特定するための第１の販売者ＩＤ  ２００ｄ１と、当該第１の販売者が作成した販売ページＵＲＬ  ２００ｄ２と、当該販売ページに記載された商品の商品ＩＤ  ２００ｄ３と、当該商品を第１の販売者が販売した販売個数２００ｄ４と、当該販売ページの広告を経由して購入された商品を販売する第２の販売者を特定するための第２の販売者ＩＤ  ２００ｄ５と、当該広告を経由して購入された商品の商品ＩＤ  ２００ｄ６と、当該商品を第２の販売者が販売した販売個数２００ｄ７と、が対応づけて登録されている。
【０１０８】
例えば、図１１の販売実績テーブル２００ｄの１行目は、第１の販売者ＩＤ“ｘ”で特定される第１の販売者が作成した販売ページのＵＲＬは“http://www.aaa.jp/x/A”であり、当該販売ページに記載された商品（商品ＩＤ“Ａ”）が当該販売ページで“１０”個購入され、当該販売ページの広告を経由して、第２の販売者ＩＤ“ｙ”で特定される第２の販売者が販売する商品（商品ＩＤ“Ａ”）が“１５”個購入されたことを示す。
【０１０９】
例えば、販売ページＵＲＬ“http://www.aaa.jp/x/A”の販売ページを経由して購入された商品（商品ＩＤ“Ａ”）の数“１０”、当該販売ページの広告を経由して購入された商品（商品ＩＤ“Ａ”）の数“１５”の場合、報酬決定部１０２は、広告を経由して購入された第２の販売者（第２の販売者ＩＤ“ｙ”）の商品（商品ＩＤ“Ａ”）の売り上げの一部に対して、第１の販売者及び第２の販売者の総販売個数（２５個）に対する第２の販売者の販売個数（１５個）の割合を乗じて、第１の販売者に与えられる報酬の額を決定する。
【０１１０】
あるいは、第１の販売者の販売個数が、第２の販売者の販売個数よりも少ない場合、第１の販売者に与えられる報酬を、所定の額より多く決定し、第１の販売者の販売個数が、第２の販売者の販売個数よりも多い場合、第１の販売者に与えられる報酬を、当該所定の額よりも少なく決定するようにしてもよい。
【０１１１】
このように、同じ商品が、第１の販売者の販売個数よりも、広告を経由して購入された第２の販売者の商品の販売個数の方が多かったとしても、当該第２の販売者の販売個数が多いほど第１の販売者に与えられる報酬が多くなる、あるいは、当該第２の販売者の販売個数が第１の販売者の販売個数よりも多ければ第１の販売者に与えられる報酬が所定の額より多くなる。
【０１１２】
また、例えば、販売ページに記載された商品と、当該販売ページの広告を経由して購入された商品が異なる場合、広告に記載された商品が、販売ページに記載された商品の販売個数を減らす要因にはならなかったとして、第１の販売者に支払われる報酬の額を所定の額より減額するようにしてもよい。
【０１１３】
本実施形態によれば、販売者が作成した販売ページにおいて商品が購入されず、代わりに広告に記載された商品が購入された場合、当該商品の購入に対する広告の貢献度を考慮して、販売ページを作成した販売者に与えられる報酬を決定することができる。これにより、第１の販売者は、自身の販売ページに第２の販売者の商品の広告を載せることにより、広告の貢献度に応じて利益を得ることができ、第１の販売者にとって、他の販売者（第２の販売者）の販売ページに誘導することに対する抵抗を軽減することができる。
【０１１４】
（８．実施形態３の報酬決定装置の動作）
本実施形態の報酬決定装置１００の動作について説明する。本実施形態の報酬決定装置１００は、図７のステップＳ１０５又は図１０のステップＳ２０７において、以下の処理を行う。それ以外の処理については、図７又は図１０の各ステップと同様であるので、省略する。
【０１１５】
報酬決定部１０２は、販売ページを経由して第１の販売者から購入された第１の商品の数と、当該販売ページの広告を経由して第２の販売者から購入された第２の商品の数と、に基づいて、報酬を決定する（ステップＳ１０５又はステップＳ２０７）。
【０１１６】
例えば、報酬決定部１０２は、販売実績テーブル２００ｄを参照して、第１の販売者の販売個数２００ｄ４と、第２の販売者の販売個数２００ｄ７とから、第１の販売者（第１の販売者ＩＤ“ｘ”）及び第２の販売者（第２の販売者ＩＤ“ｙ”）の総販売個数（“２５”）に対する第２の販売者の販売個数（“１５”）の割合を求め、当該割合を第２の販売者が広告を経由して販売することができた商品の売り上げの一部に乗じて、第１の販売者に与えられる報酬の額を決定する。
【０１１７】
（９．実施形態４の報酬決定装置の概要構成）
実施形態４の報酬決定装置１００は、第１の販売者の販売ページにおける商品の販売状況に基づいて、第１の販売者に与えられる報酬を決定するものである。
【０１１８】
報酬決定装置１００は、図４に示すように、提示部１０１と、報酬決定部１０２と、から構成される。本実施形態において、提示部１０１は、実施形態１と同様の機能を有する。以下、異なる機能を有する報酬決定部１０２について説明する。
【０１１９】
報酬決定部１０２は、販売ページに表された第１の商品の販売状況に基づいて、報酬を決定する。
【０１２０】
ここで、販売状況とは、販売ページの商品が購入できる状態であるか否か（例えば、在庫の有無や、販売期間中であるか否か）、又は、商品の発送が直ぐに可能であるか否か（例えば、購入手続完了から発送可能な日数）など、ユーザが商品を購入するにあたりユーザにとって必要な情報を示すものであるとする。
【０１２１】
例えば、ユーザが到着した販売ページが図１２に示すように在庫切れであり、直ぐに商品が購入できない状態であるとする。このような場合、直ぐに購入を希望するユーザは広告に同じ商品あるいは類似の商品が記載されていれば、当該広告を経由して他の販売者の商品を探すのは当然であると考えられる。したがって、ユーザが広告を経由して第２の販売者の商品を購入する原因は、第１の販売者にあると考えられるので、報酬決定部１０２は、第１の販売者に与えられる報酬を、所定の額より減額する。
【０１２２】
また、ユーザが到着した販売ページが、商品の販売期間開始前であり、数日後に販売開始される場合も同様に、ユーザが広告を経由して第２の販売者の商品を購入する原因は、第１の販売者にあると考えられるので、報酬決定部１０２は、第１の販売者に与えられる報酬を、所定の額より減額する。
【０１２３】
あるいは、ユーザが到着した販売ページにおいて商品の購入手続は可能であるが、発送可能日数が所定の日数（例えば、平均的な日数）よりも長い場合（例えば、数週間後に発送可能）、出来るだけ早く手元に欲しいユーザは、広告に同じ商品あるいは類似の商品が記載されていれば当該広告を経由して他の販売者の商品を探すのは当然であると考えられる。この場合も、報酬決定部１０２は、第１の販売者に与えられる報酬を、所定の額より減額する。なお、発送可能日数が長ければ長いほど、報酬が減額されるようにしてもよい。
【０１２４】
例えば、ショッピングサーバ２００には、図１３に示す販売状況テーブル２００ｅが格納されている。販売状況テーブル２００ｅは、第１の販売者が販売する第１の商品の販売状況に関する情報を示すものである。
【０１２５】
販売状況テーブル２００ｅには、第１の販売者を特定するための第１の販売者ＩＤ  ２００ｅ１と、当該第１の販売者が作成した販売ページＵＲＬ  ２００ｅ２と、当該販売ページに記載された商品の商品ＩＤ  ２００ｅ３と、当該商品の在庫数２００ｅ４と、当該商品の現時点からの購入不可能期間を示す購入不可能日数２００ｅ５と、当該商品が購入された場合に何日後に発送可能であるかを示す発送可能日数２００ｅ６と、が対応づけて登録されている。
【０１２６】
例えば、図１３の販売実績テーブル２００ｅの１行目は、第１の販売者ＩＤ“ｘ”で特定される第１の販売者が作成した販売ページのＵＲＬは“http://www.aaa.jp/x/A”であり、当該販売ページに記載された商品（商品ＩＤ“Ａ”）の在庫は“１０”個あり、購入不可能日数が“０”日であるので、当該商品は現時点で購入可能であり、当該商品が購入された場合、購入手続後“１”日後に発送可能であることを示す。なお、以下の例では、報酬を減額される対象となる発送可能日数を“５日”とする。
【０１２７】
例えば、販売ページ“http://www.aaa.jp/x/A”の広告を経由して、第２の販売者の第２の商品が購入された場合、報酬決定部１０２は、図１３の販売実績テーブル２００ｅを参照し、当該販売ページの作成者である第１の販売者（第１の販売者ＩＤ“ｘ”）の第１の商品（商品ＩＤ“Ａ”）が、在庫切れでも、購入不可能期間でもなく、発送可能日数も報酬減額の対象となる日数ではないことを求め、所定の報酬の額を、第１の販売者に与えられる報酬として決定する。
【０１２８】
一方、販売ページ“http://www.aaa.jp/x/B”の広告を経由して、第２の販売者の第２の商品が購入された場合、報酬決定部１０２は、図１３の販売実績テーブル２００ｅを参照し、当該販売ページの作成者である第１の販売者（第１の販売者ＩＤ“ｘ”）の第１の商品（商品ＩＤ“Ａ”）が、在庫は有り、発送可能日数も報酬減額の対象となる日数ではないが、購入不可能期間であることを求め、所定の報酬の額から減額した額を、第１の販売者に与えられる報酬として決定する。
【０１２９】
この他、報酬決定部１０２は、販売ページが提示された時点で第１の商品が購入可能でない場合、第１の商品が購入可能でない期間もしくは第１の商品が購入可能となるまでの期間に基づいて、報酬を減額するようにしてもよい。
【０１３０】
例えば、ユーザに販売ページが提示された時点で、販売期間開始前であり直ぐに商品を購入することが出来ない場合、購入不可能な期間が長ければ長いほど、報酬が所定の額より減額される。
【０１３１】
例えば、ユーザに販売ページが提示されてから１日間購入不可能であった場合には１％減額、２日間購入不可能であった場合には２％減額、３〜７日間購入不可能であった場合には５％減額、８日間購入不可能であった場合には１０％減額、というように報酬を減額する。購入不可能である期間が長ければ長いほど、ユーザが他の販売者の商品を目にして購入する可能性は高くなり、他の販売者の商品が購入された原因の一つに第１の販売者が購入不可能な販売ページを長い間掲載していることが考えられるので、報酬決定部１０２は、第１の販売者に与えられる報酬を、所定の額より減額する。
【０１３２】
また、報酬決定部１０２は、ユーザが、第１の商品が購入可能でない販売ページを閲覧した回数に基づいて、報酬を減額するようにしてもよい。
【０１３３】
ここで、回数とは、例えば、購入不可能な商品の販売ページを見たまま何も買わなかったユーザによる当該販売ページの閲覧回数と、当該購入不可能な商品の販売ページを見て他の販売ページに移動し商品を購入した当該ユーザによる販売ページの閲覧回数と、を足し合わせたものである。
【０１３４】
例えば、ユーザが、第１の商品が購入可能でない販売ページを閲覧した回数が多いほど、報酬を減額するようにしてもよい。第１の販売者の販売者ページを何度も見たということは、ユーザは、本来ならば第１の販売者から商品を購入したかったと考えられ、ユーザが購入希望に応じられず、ユーザが第２の販売者から商品を購入してしまったのは第１の販売者にも責任があると考えられるので、報酬決定部１０２は、第１の販売者に与えられる報酬を、所定の額より減額する。
【０１３５】
また、上記の回数の計算の起点は、商品が購入不可能な状態になった時、あるいは、前回商品が購入不可能で、他の販売ページに移動して第２の商品を購入した時等である。
【０１３６】
例えば、回数の計算の起点は、第１の販売者が販売する第１の商品が在庫切れになった時とする。この場合、報酬決定部１０２は、第１の商品が在庫切れになった時から第１の商品の販売ページが閲覧された回数を求め、当該販売ページの広告を経由して第２の商品が購入されると、当該回数に基づいて第１の販売者に与えられる報酬を決定する。
【０１３７】
また、例えば、回数の計算の起点は、前回第１の販売者が販売する第１の商品が在庫切れで、広告を経由して第２の販売者の第２の商品を購入した時であるとする。この場合、報酬決定部１０２は、第２の販売者から第２の商品が購入された時から再び第１の商品の販売ページが閲覧された回数を求め、再度当該販売ページの広告を経由して第２の商品（前回購入された第２の商品と異なっていてもよい）が購入されると、当該回数に基づいて第１の販売者に与えられる報酬を決定する。
【０１３８】
本実施形態によれば、販売ページを作成した販売者に与えられる報酬を減額することにより、商品を購入しようとしているユーザにとって有用でない販売ページがショッピングサイトからなくなるよう、販売者に促すことができる。
【０１３９】
（１０．実施形態４の報酬決定装置の動作）
本実施形態の報酬決定装置１００の動作について説明する。本実施形態の報酬決定装置１００は、図７のステップＳ１０５又は図１０のステップＳ２０７において、以下の処理を行う。それ以外の処理については、図７又は図１０の各ステップと同様であるので、省略する。
【０１４０】
報酬決定部１０２は、販売ページに表された第１の商品の販売状況に基づいて、報酬を決定する。（ステップＳ１０５又はステップＳ２０７）。
【０１４１】
例えば、ユーザが到着した販売ページ７００（図１２）が在庫切れである場合、報酬決定部１０２は、第１の販売者に与えられる報酬を、所定の額より減額する。
【符号の説明】
【０１４２】
１００  報酬決定装置
１０１  提示部
１０２  報酬決定部
２００  ショッピングサーバ
３００、３０１、３０２〜３０ｍ  販売者端末
４００、４０１、４０２〜４０ｎ  ユーザ端末
５００  インターネット
６００  情報処理装置
６０１  ＣＰＵ
６０２  ＲＯＭ
６０３  ＲＡＭ
６０４  ＮＩＣ
６０５  画像処理部
６０６  音声処理部
６０７  ＤＶＤ−ＲＯＭドライブ
６０８  インターフェース
６０９  外部メモリ
６１０  コントローラ
６１１  モニタ
６１２  スピーカ
７００  販売ページ
７１０  情報
７１１、７２１、７２２、７２３  画像
７１２  ボタン
７２０  広告
【要約】
報酬決定装置（１００）は、提示部（１０１）と、報酬決定部（１０２）と、を備える。提示部（１０１）は、複数の販売者が商品を販売するショッピングサイトにおいて、第１の販売者が販売する第１の商品を、ユーザが購入可能とするために、当該第１の商品を表す販売ページであって、第２の販売者が販売する第２の商品の広告を含む販売ページを提示する。報酬決定部（１０２）は、ユーザが広告を経由して第２の販売者から第２の商品を購入した場合、第１の販売者に与えられる報酬を決定する。【図１】
0005475205.tif 000002
【図２】
0005475205.tif 000003
【図３】
0005475205.tif 000004
【図４】
0005475205.tif 000005
【図５】
0005475205.tif 000006
【図６】
0005475205.tif 000007
【図７】
0005475205.tif 000008
【図８】
0005475205.tif 000009
【図９】
0005475205.tif 000010
【図１０】
0005475205.tif 000011
【図１１】
0005475205.tif 000012
【図１２】
0005475205.tif 000013
【図１３】
0005475205.tif 000014